(57)【要約】【課題】  モジュール型ＵＶＬＥＤランプ用の反射器組立体を提供する。【解決手段】  反射器組立体は、第１湾曲を持った第１バッキングフレームと該第１湾曲と反対の第２湾曲を持った第２バッキングフレームとを有するフレーム組立体を有している。該反射器組立体は、更に、或る物質からなる第１反射器シートを有しており、該第１反射器シートは該第１バッキングフレームに対して着脱自在に固定可能である。該第１バッキングフレームは該第１反射器シートを屈曲させて該第１湾曲を持たせている。該反射器組立体は、更に、該物質からなる第２反射器シートを有しており、該第２反射器シートは該第２バッキングフレームに対して着脱自在に固定可能である。該第２バッキングフレームは該第２反射器シートを屈曲させて該第２湾曲を持たせている。【選択図】  図２
2016011955.tif 000002
【特許請求の範囲】
【請求項１】
第１湾曲を持っている第１バッキングフレーム及び該第１湾曲と反対の第２湾曲を持っている第２バッキングフレームを有しているフレーム組立体、
該第１バッキングフレームに対して着脱自在に固定可能であり且つ或る物質からなる第１反射器シートであって、該第１湾曲を持つように該第１バッキングフレームによって屈曲される第１反射器シート、
該第２バッキングフレームに対して着脱自在に固定可能であり且つ該物質からなる第２反射器シートであって、該第２湾曲を持つように該第２バッキングフレームによって屈曲される第２反射器シート、
を有している反射器組立体。
【請求項２】
該第１バッキングフレームが第１複数個のバッキングリブを有しており、且つ該第２バッキングフレームが第２複数個のバッキングリブを有しており、該第１複数個のバッキングリブ及び該第２複数個のバッキングリブが、夫々、該第１反射器シートの背面部分及び該第２反射器シートの背面部分に着脱自在に固定可能である、請求項１記載の反射器組立体。
【請求項３】
該第１バッキングフレームが第１バッキングプレートを有しており且つ該第２バッキングフレームが第２バッキングプレートを有しており、該第１バッキングプレート及び該第２バッキングプレートが、夫々、該第１反射器シートの背面部分及び該第２反射器シートの背面部分に着脱自在に固定可能である、請求項１又は２記載の反射器組立体。
【請求項４】
該フレーム組立体が、更に、該第１反射器シートの１個又はそれ以上の端部部分及び該第２反射器シートの１個又はそれ以上の端部部分に沿って挿入可能であり、且つ該第１バッキングプレート及び該第２バッキングプレート内に挿入可能な複数個のアライメントピンを有している、請求項３記載の反射器組立体。
【請求項５】
該フレーム組立体が、更に、第１端部反射器及び第２端部反射器を有しており、該端部反射器の各々は、該第１反射器シート及び該第２反射器シートの各々の側部部分を着脱自在に受け取る中央部分を具備している、請求項１乃至４の内のいずれか１項記載の反射器組立体。
【請求項６】
該第１端部反射器の該中央部分は該第１湾曲を持った第１側部部分と該第２湾曲を持った第２側部部分とを有しており、
該第２端部反射器の該中央部分は該第１湾曲を持った第１側部部分と該第２湾曲を持った第２側部部分とを有しており、
該第１バッキングフレームは、更に、該第１反射器シートを、該第１端部反射器の該中央部分の該第１側部部分及び該第１端部反射器の該中央部分の該第２側部部分に対して屈曲させて該第１湾曲を持たせており、及び
該第２バッキングフレームは、更に、該第２反射器シートを、該第２端部反射器の該中央部分の該第２側部部分及び該第２端部反射器の該中央部分の該第２側部部分に対して屈曲させて該第２湾曲を持たせている、
請求項５記載の反射器組立体。
【請求項７】
該第１端部反射器及び該第２端部反射器がランプヘッド組立体の内側に位置している、請求項５又は６記載の反射器組立体。
【請求項８】
該第１端部反射器及び該第２端部反射器が長尺状であって該第１反射器シートの底部部分及び該第２反射器シートの底部部分を越えて延在しており、且つ該ランプヘッド組立体の側部に取り付けられている、請求項５乃至７の内のいずれか１項記載の反射器組立体。
【請求項９】
該フレーム組立体が、更に、該第１反射器シートの底部部分及び該第２反射器シートの底部部分を夫々受け取り且つ支持している第１ベースバー及び第２ベースバーを有しており、該第１ベースバー及び該第２ベースバーが長尺状光源からの光が該反射器組立体内に入るための下部アパーチャを画定している、請求項１乃至８の内のいずれか１項記載の反射器組立体。
【請求項１０】
該フレーム組立体が、更に、該第１反射器シートの上部部分及び該第２反射器シートの上部部分を夫々受け取り且つ支持するための第１上部バー及び第２上部バーを有しており、該第１上部バー及び該第２上部バーが該反射器組立体から光が射出するための上部アパーチャを画定している、請求項１乃至９の内のいずれか１項記載の反射器組立体。
【請求項１１】
該フレーム組立体が、更に、該第１上部バー及び該第２上部バーによって形成されている該上部アパーチャの上側に位置して取り付けられている透明反射防止膜でコーティングされている窓を有している、請求項１０記載の反射器組立体。
【請求項１２】
該第１バッキングフレームの該第１湾曲及び該第２バッキングフレームの該第２湾曲は各々凹状である、請求項１乃至１１の内のいずれか１項記載の反射器組立体。
【請求項１３】
該第１反射器シートと該第２反射器シートとの結合した形状が、該結合した形状の端部部分に対して該結合した形状の中央部分近くにおいて一層幅広であるように該フレーム組立体によって画定されている、請求項１乃至１２の内のいずれか１項記載の反射器組立体。
【請求項１４】
該第１湾曲及び該第２湾曲の各々が、加工物上の投影された光パターンの中心線の反対側上の焦点を持った楕円、複合組の楕円、又は複合組の放物線形状、の内の一つの一部の形状を持っている、請求項１乃至１３の内のいずれか１項記載の反射器組立体。
【請求項１５】
該第１反射器シート及び該第２反射器シートが異なる長さの光源に対応して異なる長さで提供されている、請求項１乃至１４の内のいずれか１項記載の反射器組立体。
【請求項１６】
該第１反射器シート及び該第２反射器シートの各々が金属のシートを有している、請求項１乃至１５の内のいずれか１項記載の反射器組立体。
【請求項１７】
該金属がアルミニウムの合金である請求項１６記載の反射器組立体。
【請求項１８】
該第１反射器シート及び該第２反射器シートの各々が、更に、金属のシートに接着した反射性物質からなる裏張りライナーを有している請求項１６又は１７記載の反射器組立体。
【請求項１９】
該第１反射器シート及び該第２反射器シートの各々は、更に、該フレーム組立体によって画定される如く、該第１反射器シートの内側表面上及び該第２反射器シートの内側表面上に形成されている反射性コーティングを有している、請求項１６乃至１８の内のいずれか１項記載の反射器組立体。
【発明の詳細な説明】
【技術分野】
【０００１】
本開示は、長尺状光源を具備しており且つ該長尺状光源によって発生可能な光出力のランバート（余弦）分布を持っているランプに使用される反射器組立体に関するものである。
【背景技術】
【０００２】
図１は、米国特許第８，３７８，３２２号（以後「´３２２特許」）及び米国特許第８，８０９，８２０号（以後「´８２０特許」）に記載されている如き紫外線射出ダイオード（ＵＶＬＥＤ）をベースとしたランプ組立体１００の斜視図を示している。´３２２特許及び´８２０特許のランプ組立体１００は、各々、ランプヘッド組立体１０２と反射器組立体１０４とを有している場合がある。図１は、更に、反射器組立体１０４の分解斜視図を示している。反射器組立体１０４は、一対のソリッド機械加工（solid machined）した側部反射器１０６ａ，１０６ｂと一対の端部反射器１０８ａ，１０８ｂとを有している場合がある。反射器１０６ａ，１０６ｂの各々は反射表面を与えるために研磨及び／又は鍍金を必要とする場合がある。反射器１０６ａ，１０６ｂの各々に対して使用される物質は機械加工することが可能な金属合金とすることが可能であるが、その他のより機械加工に向いていない金属合金の如く、理想的な表面反射性を与えるものではない場合がある。反射器１０６ａ，１０６ｂとさせるために使用される製造プロセスは、反射器１０６ａ，１０６ｂを機械加工し且つ研磨するために必要とされる時間に起因して高価である場合がある。
【０００３】
更に、´３２２特許及び´８２０特許の反射器組立体１０４は、ランプヘッド組立体１０２上でのマウント即ち取付を十分に支持するものではないと思われる。実験によれば、加工物を照明するために´３２２特許及び´８２０特許のランプ組立体１００をフォーカスさせる最善の方法は、加工物を照明するために反射器組立体１０４をその理想的な場所に位置させ、次いでランプヘッド組立体１０２を取り付けることであることが判明した。ランプヘッド組立体１０２を取り付ける場合に、反射器組立体１０４は正確に位置させるべきである。ＵＶエネルギは反射器組立体１０４から来るので、加工物の照明のために反射器組立体１０４をその理想的な場所に手作業で位置させ、次いでランプヘッド組立体を取り付けるという前述した技術は、しばしば、エラーを発生させる危険性があり且つ労働集約的である。
【先行技術文献】
【特許文献】
【０００４】
【特許文献１】米国特許第８，３７８，３２２号公報
【特許文献２】米国特許第８，８０９，８２０号公報
【発明の概要】
【発明が解決しようとする課題】
【０００５】
物質のブロック内に反射表面を機械加工し、次いで該ブロックを研磨するために´３２２特許及び´８２０特許において使用されている既存のデザインはランプ組立体に対して著しいコストを増加させる場合があるものと考えられる。更に、´３２２特許及び´８２０特許の既存の機械加工した反射器デザインはランプ組立体１００（及び反射器組立体１０４）をフィクスチャ（fixture）、即ち冶具、内に取り付けることを可能とする特徴を提供するものではない可能性がある。その他の既知の既存の反射器組立体は、ランプを他の機器へ取り付けるか又は同一の光源（ランプ組立体）を使用して交換可能な反射器を提供するために該反射器組立体を使用する備えを与えるものではない場合がある。
【課題を解決するための手段】
【０００６】
モジュール型反射器組立体を提供することによって、上述した問題点が解消され且つ当該技術においての技術的解決が達成される。該モジュール型反射器組立体は、第１湾曲を持った第１バッキングフレームと該第１湾曲に対向する第２湾曲を持った第２バッキングフレームとを有するフレーム組立体を有することが可能である。該反射器組立体は、更に、或る物質の第１反射器シートを有することが可能である。該第１反射器シートは該第１バッキングフレームに着脱自在に固定させることが可能である。該第１バッキングフレームは該第１反射器シートを屈曲させて該第１湾曲とさせることが可能である。該反射器組立体は、更に、該物質の第２反射器シートを有している。該第２反射器シートは該第２バッキングフレームに着脱自在に固定させることが可能である。該第２バッキングフレームは該第２反射器シートを屈曲させて該第２湾曲とさせることが可能である。
【図面の簡単な説明】
【０００７】
【図１】米国特許第８，３７８，３２２号（以後「´３２２特許」）及び米国特許第８，８０９，８２０号（以後「´８２０特許」）に記載されている如き紫外線射出ダイオード（ＵＶＬＥＤ）をベースとしたランプ組立体の斜視図。
【図２】本開示の１例に基づくモジュール型反射器組立体の分解斜視図。
【図３】ランプヘッド組立体に取り付けた図２の反射器組立体の１例の斜視図。
【図４】本開示の別の例に基づくモジュール型反射器組立体の分解斜視図。
【図５】（Ａ）は図１のランプ組立体を製造するためにランプヘッド組立体に取り付けた機械加工した反射器組立体の側面図、（Ｂ）は（Ａ）において使用されているものよりも改善されている反射器組立体の取り付けを示しており且つ本開示の１例に基づいてランプ組立体を製造するためにランプヘッド組立体に取り付けた図４のモジュール型反射器組立体の側面図。
【図６】本開示の１例に基づいてランプ組立体を製造するためにランプヘッド組立体と組み立てられるべく配向状態とされた図４のモジュール型反射器組立体の分解図。
【図７】本開示の１例に基づいてランプ組立体を製造するためにランプヘッド組立体に反射器組立体を取り付けるための構造を示した図５（Ｂ）及び図６のランプ組立体の斜視図。
【図８】本開示の更に別の例に基づくダブル長モジュール型反射器組立体の分解斜視図。
【図９】本開示の１実施例に基づいて中空円筒加工物硬化用フィクスチャが組み込まれた図５（Ｂ）、図６、図７のランプ組立体の斜視図。
【発明を実施するための形態】
【０００８】
図２は、本開示の１例に基づくモジュール型反射器組立体２００の分解斜視図である。１例において、反射器組立体２００はランバート（余弦）分布の出力光を発する光源を具備している長尺状ランプと共に使用することが可能である。反射器組立体２００は、或る物質の第１反射器シート２０２ａと該物質の第２反射器シート２０２ｂとを有することが可能である。該物質の第１反射器シート２０２ａ及び第２反射器シート２０２ｂは、実質的に長尺状光源６０８の全体の上側に位置するように長尺状光源６０８（図６参照）に取り付けることが可能であるフレーム組立体２０４によって支持され且つ位置決めされ固定させることが可能である。長尺状光源６０８は複数の発光ダイオードからなるアレイとすることが可能である。
【０００９】
フレーム組立体２０４は、第１反射器シート２０２ａ及び第２反射器シート２０２ｂをフレーム組立体２０４内にしっかりと着脱自在に固定させる寸法及び形状とさせることが可能である。フレーム組立体２０４は、第１反射器シート２０２ａ及び第２反射器シート２０２ｂの形状を画定することが可能である。フレーム組立体２０４は、第１反射器シート２０２ａの底部部分２０６ａ及び第２反射器シート２０２ｂの底部部分２０６ｂを、長尺状光源６０８によって定義される長手軸６０６（図６参照）に対して実質的に平行に整合させることが可能である。
【００１０】
１例において、第１反射器シート２０２ａの形状及び第２反射器シート２０２ｂの形状は、互いに整合されている対向する凹状湾曲及び端部部分２０８ａ，２０８ｂ，２０８ｃ，２０８ｄを有するようにフレーム組立体２０４によって画定させることが可能である。１例において、第１反射器シート２０２ａと第２反射器シート２０２ｂとの結合した形状は、第１反射器シート２０２ａと第２反射器シート２０２ｂとの結合した形状の端部部分２１２ａ，２１２ｂに対して、第１反射器シート２０２ａと第２反射器シート２０２ｂとの結合した形状の中央部分２１０近くにおいて一層幅広であるように、フレーム組立体２０４によって画定させることが可能である。
【００１１】
１例において、第１反射器シート２０２ａ及び第２反射器シート２０２ｂは、各々が加工物上の投影された光パターンの中心線の反対側上に焦点を有する楕円、複合組の楕円、又は複合組の放物線形状、の内の一つの一部の形状を有するべくフレーム組立体２０４によって画定させることが可能である。１例において、第１反射器シート２０２ａ及び第２反射器シート２０２ｂは、第１反射器シート２０２ａ及び第２反射器シート２０２ｂを固定するために使用しているフレーム組立体２０４の一部の形状によって画定される如く、形状を可変とさせることが可能である。
【００１２】
１例において、第１反射器シート２０２ａ及び第２反射器シート２０２ｂは、各々、金属のシートを有することが可能である。１例において、該金属はアルミニウムの合金とすることが可能である。
【００１３】
１例において、第１反射器シート２０２ａ及び第２反射器シート２０２ｂは、各々、更に、金属のシートに接着させた反射性物質の裏付ライナー（不図示）を有することが可能である。別の例において、第１反射器シート２０２ａ及び第２反射器シート２０２ｂは、各々、更に、フレーム組立体２０４によって画定された第１反射器シート２０２ａの内側表面２１４ａ及び第２反射器シート２０２ｂの内側表面２１４ｂ上に形成した反射性コーティング（不図示）を有することが可能である。
【００１４】
フレーム組立体２０２は、更に、第１端部反射器２１６ａ及び第２端部反射器２１６ｂを有することが可能である。第２端部反射器２１６ａ及び第２端部反射器２１６ｂは、各々、第１反射器シート２０２ａ及び第２反射器シート２０２ｂの各々の側部部分２２０ａ，２２０ｂ，２２０ｃ，２２０ｄを着脱自在に受け取り且つ、更に、第１反射器シート２０２ａ及び第２反射器シート２０２ｂの形状を画定する中央部分２１８ａ，２１８ｂを夫々有することが可能である。第１端部反射器２１６ａの中央部分２１８ａは、第１湾曲を具備する第１側部分２１９ａ及び第２湾曲を具備する第２側部部分２１９ｂを有することが可能である。第２端部反射器２１６ａの中央部分２１８ｂは、第１湾曲を具備する第１側部部分２１９ｃ及び第２湾曲を具備する第２側部部分２１９ｄを有することが可能である。
【００１５】
第１端部反射器２１６ａ及び第２端部反射器２１６ｂは、図３に示した如くに、ランプヘッド組立体３０２の上側に位置することが可能である。
【００１６】
フレーム組立体２０４は、更に、第１反射器ベースバー２２４ａ及び第２反射器ベースバー２２４ｂを有することが可能である。第１反射器ベースバー２２４ａ及び第２反射器ベースバー２２４ｂは、夫々、第１反射器シート２０２ａの底部部分２０６ａ及び第２反射器シート２０２ｂの底部部分２０６ｂを受け取り且つ支持する形状及び寸法とさせることが可能である。第１反射器ベースバー２２４ａ及び第２反射器ベースバー２２４ｂは、夫々、第１反射器シート２０２ａ及び第２反射器シート２０２ｂを図６の長尺状光源６０８の軸６０６と整合させる形状及び寸法とさせることが可能である。第１反射器ベースバー２２４ａ及び第２反射器ベースバー２２４ｂはフレーム組立体２０４を長尺状光源６０８と関連するランプベースへ固定させることが可能であり、且つ長尺状光源６０８からの光がフレーム組立体内に入るための下部アパーチャを画定することが可能である。第１反射器ベースバー２２４ａ及び第２反射器ベースバー２２４ｂは、更に、図３に示した如くに、フレーム組立体２０４を長尺状光源６０６と関連するランプヘッド組立体６０２へ固定させることが可能である。
【００１７】
図３はランプヘッド組立体３０２へ取り付けられた図２の反射器組立体２００の１例の斜視図である。第１反射器ベースバー２２４ａ及び第２反射器ベースバー２２４ｂの各々は、反射器組立体２００をランプヘッド組立体３０２へ固定させ且つ付着させることが可能な螺子（不図示）を受け取るために２個の螺子穴（１個のみ図示、例えば３０４）を有している。第１反射器ベースバー２２４ａ及び第２反射器ベースバー２２４ｂは、ランプヘッド組立体３０２の長尺状光源６０８からの光が反射器組立体２００内に入るための下部アパーチャ２２６を画定すべき寸法、形状、配向状態とさせることが可能である。
【００１８】
図２に戻って説明すると、フレーム組立体２０４は、更に、夫々、第１反射器シート２０２ａの上部部分２３０ａ及び第２反射器シート２０２ｂの上部部分２３０ｂを受け取り且つ支持すべく形状及び寸法とさせた第１上部バー２２８ａ及び第２上部バー２２８ｂを有することが可能である。第１上部バー２２８ａ及び第２上部バー２２８ｂは、図９に示した如く、加工物組立体９０２に対して反射器組立体２００の取り付け表面を画定し、且つモジュール型反射器組立体２００から光が射出するための上部アパーチャ２３２を画定すべく作用する。フレーム組立体２０４は、更に、第１上部バー２２８ａ及び第２上部バー２２８ｂによって形成された上部アパーチャ２３２の上側に位置して取り付けられた透明な反射防止膜をコーティングした窓（不図示）を有することが可能である。
【００１９】
フレーム組立体２０４は、更に、第１湾曲を持っており且つ第１複数個のバッキングリブ２３４ａ−２３４ｎを有している第１バッキングフレーム２３４ａ−２３４ｎと、第２湾曲を持っており且つ第２複数個のバッキングリブ２３６ａ−２３６ｎを有している第２バッキングフレーム２３６ａ−２３６ｎを有することが可能であり、該第１複数個のバッキングリブ２３４ａ−２３４ｎ及び該第２複数個のバッキングリブ２３６ａ−２３６ｎは、第１反射器シート２０２ａの背面部分２３８ａ及び第２反射器シート２０２ｂの背面部分２３８ｂに、夫々、着脱自在に固定させることが可能である。第１複数個のバッキングリブ２３４ａ−２３４ｎ及び第２複数個のバッキングリブ２３６ａ−２３６ｎは、更に、第１反射器シート２０２ａ及び第２反射器シート２０２ｂの形状を、夫々、画定させることが可能である。第１湾曲を持っており且つ第１複数個のバッキングリブ２３４ａ−２３４ｎを有している第１バッキングフレーム２３４ａ−２３４ｎは、第１湾曲を有するように第１反射器シート２０２ａを屈曲させる形態とさせることが可能である。第２湾曲を持っており且つ第２複数個のバッキングリブ２３６ａ−２３６ｎを有している第２バッキングフレーム２３６ａ−２３６ｎは、第１湾曲を有するように第２反射器シート２０２ｂを屈曲させる形態とさせることが可能である。第１バッキングフレーム２３４ａ−２３４ｎは、更に、第１反射器シート２０２ａを、第１端部反射器２１６ａの中央部分２１８ａの第１側部部分２１９ａ及び第１端部反射器２１８ａの中央部分２１８ａの第２側部部分２１９ｂに対して屈曲させて第１湾曲を形成させることが可能である。第２バッキングフレーム２３６ａ−２３６ｎは、更に、第１反射器シート２０２ｂを、第２端部反射器２１６ｂの中央部分２１８ｂの第１側部部分２１９ｃ及び第２端部反射器２１６ｂの中央部分２１８ｂの第２側部部分２１９ｄに対して屈曲させて第２湾曲を形成させることが可能である。
【００２０】
図４は本開示の別の例に基づくモジュール型反射器組立体４００の分解斜視図である。１例において、反射器組立体４００は、ランバート（余弦）分布の光出力を有する長尺状光源を具備する長尺型ランプと共に使用することが可能である。反射器組立体４００は、或る物質からなる第１反射器シート４０２ａ及び該物質からなる第２反射器シート４０２ｂを有することが可能である。或る物質からなる第１反射器シート４０２ａ及び第２反射器シート４０２ｂは、実質的に長尺状光源６０８の全体の上側に位置するように長尺状光源６０８に取り付けることが可能なフレーム組立体４０４によって支持され、位置決めされ、且つ固定させることが可能である。
【００２１】
フレーム組立体４０４は、第１反射器シート４０２ａ及び第２反射器シート４０２ｂをフレーム組立体４０４内にしっかりと着脱自在に固定すべく寸法及び形状とさせることが可能である。フレーム組立体４０４は、第１反射器シート４０２ａ及び第２反射器シート４０２ｂの形状を画定することが可能である。フレーム組立体４０４は、第１反射器シート４０２ａの底部部分４０６ａ及び第２反射器シート４０２ｂの底部部分４０６ｂを長尺状光源６０８の長手軸６０６に対して実質的に平行に整合させることが可能である。
【００２２】
１例において、第１反射器シート４０２ａの形状及び第２反射器シート４０２ｂの形状は、対向する凹状の湾曲を有し且つ互いに整合された端部部分４０８ａ，４０８ｂ，４０８ｃ，４０８ｄを有するようにフレーム組立体４０４によって画定させることが可能である。１例において、第１反射器シート４０２ａと第２反射器シート４０２ｂとの結合した形状は、第１反射器シート４０２ａ及び第２反射器シート４０２ｂの結合した形状の端部部分４１２ａ，４１２ｂに対して、第１反射器シート４０２ａと第２反射器シート４０２ｂとの結合した形状の中央部分４１０近くで一層幅広であるように、フレーム組立体４０４によって画定させることが可能である。
【００２３】
１例において、第１反射器シート４０２ａ及び第２反射器シート４０２ｂは、各々、加工物上に投影した光パターンの中心線の反対側上に焦点を有する楕円、複合組の楕円、又は複合組の放物線形状、の内の一つの一部の形状を有するべくフレーム組立体４０４によって画定させることが可能である。１例において、第１反射器シート４０２ａ及び第２反射器シート４０２ｂは、第１反射器シート４０２ａ及び第２反射器シート４０２ｂを固定するために使用されているフレーム組立体４０４の一部の形状によって画定される如くに形状を可変とさせることが可能である。
【００２４】
１例において、第１反射器シート４０２ａ及び第２反射器シート４０２ｂは、各々、金属のシートを有することが可能である。１例においては、該金属はアルミニウムの合金とすることが可能である。
【００２５】
１例において、第１反射器シート４０２ａ及び第２反射器シート４０２ｂは、各々、更に、金属のシートに接着させた反射性物質の裏付ライナー（不図示）を有することが可能である。別の例においては、第１反射器シート４０２ａ及び第２反射器シート４０２ｂは、各々、更に、フレーム組立体４０４によって画定された如く第１反射器シート４０２ａの内側表面４１４ａ上及び第２反射器シート４０２ｂの内側表面４１４ｂ上に形成した反射性コーティング（不図示）を有することが可能である。
【００２６】
フレーム組立体４０４は、更に、第１端部反射器４１６ａ及び第２端部反射器４１６ｂを有することが可能である。第１端部反射器４１６ａ及び第２端部反射器４１６ｂは、各々、
第１反射器シート４０２ａ及び第２反射器シート４０２ｂの各々の側部部分４２０ａ，４２０ｂ，４２０ｃ，４２０ｄを着脱自在に受け取り、且つ、更に、第１反射器シート４０２ａ及び第２反射器シート４０２ｂの形状を画定する、寸法及び形状とされている中央部分４１８ａ，４１８ｂを、夫々、有することが可能である。第１端部反射器４１６ａの中央部分４１８ａは、第１湾曲を持った第１側部部分４１９ａ及び第２湾曲を持った第２側部部分４１９ｂを有することが可能である。第２端部反射器４１６ｂの中央部分４１８ｂは、第１湾曲を持った第１側部部分４１９ｃ及び第２湾曲を持った第２側部部分４１９ｄを有することが可能である。第１端部反射器４１６ａ及び第２端部反射器４１６ｂは長尺状とさせることが可能であり、且つ第１反射器シート２０２ａの底部部分２０６ａ及び第２反射器シート２０２ｂの底部部分２０６ｂを越えて延在する部分４３８ａ，４３８ｂを有することが可能である。
【００２７】
図５（Ａ）は図１のランプ組立体１００を製造するためにランプヘッド組立体１０２へ取り付けた機械加工した反射器組立体１０４の側面図である。図５（Ｂ）は本開示の１例に基づいてランプ組立体５００を製造するためにランプヘッド組立体５０２へ取り付けた図４のモジュール型反射器組立体４００の側面図である。図６は本開示の１例に基づいてランプ組立体５００を製造するためにランプヘッド組立体５０２と組み立てられるべく配向状態とされた図４のモジュール型反射器組立体４００の分解図である。
【００２８】
第１端部反射器４１６ａ及び第２端部反射器４１６ｂは、図５（Ｂ）及び図６に示した如く、ランプ組立体５００のランプヘッド組立体５０２の側部５０２へ取り付けることが可能である。第１端部反射器４１６ａ及び第２端部反射器４１６ｂは、図７に示した如く、フレーム組立体４０４を長尺状光源６０８と関連するランプヘッド組立体５０２へ付着させることが可能である。
【００２９】
図７は図５（Ｂ）及び図６のランプ組立体５００の斜視図であって、本開示の１例に基づいてランプ組立体５００を製造するためにランプヘッド組立体５０２へ反射器組立体４００を取り付けるための構造を示している。第１端部反射器４１６ａ及び第２端部反射器４１６ｂの各々は、反射器組立体４００をランプヘッド組立体５０２に対して固定、付着、整合させることが可能なピン（不図示）を受け取るための複数個の孔（２個が示されている、例えば５０４ａ，５０４ｂ）を有している。
【００３０】
図４に戻って説明すると、フレーム組立体４０４は、更に、第１湾曲を持っており且つ第１（例えば、機械加工した）バッキングプレート４４０ａを有している第１バッキングフレーム４４０ａと、第２湾曲を持っており且つ第２（例えば、機械加工した）バッキングプレート４４０ｂを有している第２バッキングフレーム４４０ｂと、を有しており、これらの第１バッキングプレート４４０ａ及び第２バッキングプレート４４０ｂは、夫々、第１反射器シート４０２ａの背面部分４３８ａ及び第２反射器シート４０２ｂの背面部分４３８ｂへ、夫々、着脱自在に固定させることが可能である。第１バッキングプレート４４０ａ及び第２バッキングプレート４４０ｂは、更に、第１反射器シート４０２ａ及び第２反射器シート４０２ｂの形状を画定することが可能である。第１バッキングプレート４４０ａ及び第２バッキングプレート４４０ｂは、ランプヘッド組立体５０２の長尺状光源６０８からの光が反射器組立体４００へ入るための下部アパーチャ４４４を画定すべく寸法、形状、及び配向状態とされている夫々の底部部分４４２ａ，４４２ｂを有することが可能である。
【００３１】
第１湾曲を持っており且つ第１バッキングプレー４４０ａを有している第１バッキングフレーム４４０ａは、第１湾曲を有するように第１反射器シート４０２ａを屈曲させる形態とさせることが可能である。第２湾曲を持っており且つ第２バッキングプレート４４０ｂを有している第２バッキングフレーム４４０ｂは第２湾曲を有するように第２反射器シート４０２ｂを屈曲させる形態とさせることが可能である。第１バッキングフレーム４４０ａは、更に、第１湾曲を形成するために、第１反射器シート４０２ａを、第１端部反射器４１６ａの中央部分４１８ａの第１側部部分４１９ａと第１端部反射器４１６ａの中央部分４１８ａの第２側部部分４１９ｂとに対して、屈曲させることが可能である。第２バッキングフレーム４４０ｂは、更に、第２湾曲を形成するために、第２反射器シート４０２ｂを、第２端部反射器４１６ｂの中央部分４１８ｂの第１側部部分４１９ｂと第２端部反射器４１６ｂの中央部分４１８ｂの第２側部部分４１９ｂとに対して、屈曲させることが可能である。
【００３２】
フレーム組立体４０４は、更に、第１反射器シート４０２ａの１個又はそれ以上の端部部分４４８ａ，４４８ｂ及び第２反射器シート４０２ｂの１個又はそれ以上の端部部分４４８ｃ，４４８ｄに沿って挿入可能な複数個のアライメントピン４４６ａ−４４６ｎを有することが可能である。該複数個のアライメントピン４４６ａ−４４６ｎは、更に、第１バッキングプレート４４０ａ及び第２バッキングプレート４４０ｂ内に挿入可能である。該複数個のアライメントピン４４６ａ−４４６ｎは、第１反射器シート４０２ａ及び第２反射器シート４０２ｂを互いに且つ第１バッキングプレート４４０ａ及び第２バッキングプレート４４０ｂの各々と整合させることが可能である。
【００３３】
図８は本開示の別の例に基づくダブル長モジュール型反射器組立体８００の分解斜視図である。１例において、図２の第１反射器シート２０２ａ及び第２反射器シート２０２ｂを、異なる長さの光源に対応する異なる長さで設けることが可能である。図８に示されている例は、図２の第１反射器シート２０２ａ及び第２反射器シート２０２ｂの長さのダブル即ち２倍の長さを有する第１反射器シート８０２ａ及び第２反射器シート８０２ｂを示している。このことは、第３反射器ベースバー８２４ｃ及び第４反射器ベースバー８２４ｄ、第３上部バー８２８ｃ及び第４上部バー８２８ｄ、及び図２の第１複数個のバッキングリブ２３４ａ−２３４ｎよりも一層多数のリブを有している第１複数個のバッキングリブ８３４ａ−８３４ｚ、及び第２複数個のバッキングリブ２３６ａ−２３６ｎよりも一層多数のリブを有している第２複数個のバッキングリブ８３６ａ−８３６ｚ、を反射器組立体８００内に組み込むことによって可能とされている。
【００３４】
１例において、反射器組立体８００はランバート（余弦）分布の出力光を発生する光源を具備する長尺状ランプと共に使用することが可能である。反射器組立体８００は或る物質の第１反射器シート８０２ａ及び該物質の第２反射器シート８０２ｂを有することが可能である。或る物質の第１反射器シート８０２ａ及び第２反射器シート８０２ｂは、実質的に長尺状光源６０８の全体の上側に位置するように長尺状光源６０８へ取り付けることが可能なフレーム組立体８０４によって支持され、位置決めされ、且つ固定される。長尺状光源６０８は複数の発光ダイオードからなるアレイとすることが可能である。
【００３５】
フレーム組立体８０４は、第１反射器シート８０２ａ及び第２反射器シート８０２ｂをフレーム組立体８０４内にしっかりと着脱自在に固定させることが可能である。フレーム組立体８０４は、更に、第１反射器シート８０２ａ及び第２反射器シート８０２ｂの形状を画定することが可能である。フレーム組立体８０４は、第１反射器シート８０２ａの底部部分８０６ａ及び第２反射器シート８０２ｂの底部部分８０６ｂを、長尺状光源６０８の軸６０６に対して実質的に平行に整合させることが可能である。
【００３６】
１例において、第１反射器シート８０２ａの形状及び第２反射器シート８０２ｂの形状は、対向する凹状の湾曲を持っており且つ端部部分８０８ａ，８０８ｂ，８０８ｃ，８０８ｄが互いに整合されるようにフレーム組立体８０４によって画定させることが可能である。１例において、第１反射器シート８０２ａと第２反射器シート８０２ｂとの結合した形状は、第１反射器シート８０２ａ及び第２反射器シート８０２ｂの結合した形状の端部部分８１２ａ，８１２ｂと相対的に、第１反射器シート８０２ａ及び第２反射器シート８０２ｂの結合した形状の中央部分８１０近くにおいて一層幅広であるようにフレーム組立体８０４によって画定させることが可能である。
【００３７】
１例において、第１反射器シート８０２ａ及び第２反射器シート８０２ｂは、各々、加工物上に投影した光パターンの中心線の反対側上に焦点を有する楕円、複合組の楕円、又は複合組の放物線形状の内の一つの一部の形状を有するべくフレーム組立体８０４によって画定させることが可能である。１例において、第１反射器シート８０２ａ及び第２反射器シート８０２ｂは、第１反射器シート８０２ａ及び第２反射器シート８０２ｂを固定するために使用されるフレーム組立体８０４の一部の形状によって画定される如く、形状を可変とすることが可能である。
【００３８】
１例において、第１反射器シート８０２ａ及び第２反射器シート８０２ｂは、各々、金属のシートを有することが可能である。１例において、該金属はアルミニウムの合金とすることが可能である。
【００３９】
１例において、第１反射器シート８０２ａ及び第２反射器シート８０２ｂは、各々、更に、金属のシートに接着させた反射性物質からなる裏打ライナー（不図示）を有することが可能である。別の例において、第１反射器シート８０２ａ及び第２反射器シート８０２ｂは、各々、更に、フレーム組立体８０４によって画定される如く、第１反射器シート８０２ａの内側表面８１４ａ及び第２反射器シート８０２ｂの内側表面８１４ｂ上に形成した反射性コーティング（不図示）を有することが可能である。
【００４０】
フレーム組立体８０４は、更に、第１端部反射器８１６ａ及び第２端部反射器８１６ｂを有することが可能である。第１端部反射器８１６ａ及び第２端部反射器８１６ｂは、各々、第１反射器シート８０２ａ及び第２反射器シート８０２ｂの形状を更に画定するために、第１反射器シート８０２ａ及び第２反射器シート８０２ｂの各々の側部部分８２０ａ，８２０ｂ，８２０ｃ，８２０ｄを着脱自在に受け取るべく形態とさせることが可能な中央部分８１８ａ，８１８ｂを、夫々、有することが可能である。第１端部反射器８１６ａの中央部分８１８ａは、第１湾曲を持っている第１側部部分８１９ａと、第２湾曲を持っている第２側部部分８１９ｂとを有することが可能である。第２端部反射器８１６ｂの中央部分８１８ｂは、第１湾曲を持っている第１側部部分８１９ｃと、第２湾曲を持っている第２側部部分８１９ｂとを有することが可能である。第１端部反射器８１６ａ及び第２端部反射器８１６ｂは、図６に示した如く、ランプヘッド組立体５０２の上側に位置する形態とさせることが可能である。
【００４１】
フレーム組立体８０４は、更に、第１反射器ベースバー８２４ａ、第２反射器ベースバー８２４ｂ、第１反射器ベースバー８２４ａと整合されている第３反射器ベースバー８２４ｃ、及び第２反射器ベースバー８２４ｂと整合されている第４反射器ベースバー８２４ｄ、を有することが可能である。第１反射器ベースバー８２４ａ及び第３反射器ベースバー８２４ｃは、第１反射器シート８０２ａの底部部分８０６ａを受け取り且つ支持することが可能である。第２反射器ベースバー８２４ｂ及び第４反射器ベースバー８２４ｄは第２反射器シート８０２ｂの底部部分を受け取り且つ支持することが可能である。反射器ベースバー８２４ａ，８２４ｃは第１反射器シート８０２ａを、及び、反射器ベースバー８２４ｂ、８２４ｄは第２反射器シート８０２ｂを、夫々、長尺状光源６０８の軸６０６と整合させることが可能である。反射器ベースバー８２４ａ，８２４ｃ及び反射器ベースバー８２４ｂ，８２４ｄは、フレーム組立体８０４を長尺状光源６０８と関連するランプベースに固定させることが可能であり、且つ長尺状光源６０８からの光が該フレーム組立体内に入るための下部アパーチャを画定することが可能である。第１反射器ベースバー８２４ａ，８２４ｃ、及び反射器ベースバー８２４ｂ，８２４ｄは、更に、図５（Ｂ）、図６、及び図７について上述した如く、長尺状光源６０８と関連するランプヘッド組立体５０２へフレーム組立体８０４を付着させることが可能である。
【００４２】
図５（Ｂ）、図６、及び図７のモデルを拡張させるために、反射器ベースバー８２４ａ及び第２反射器ベースバー８２４ｂは、反射器組立体８００をランプヘッド組立体５０２へ固定し且つ付着させることを可能とする螺子を受け取るための複数個の螺子穴を有している。反射器ベースバー８２４ａ，８２４ｂ及び反射器ベースバー８２４ｃ、８２４ｄは、ランプヘッド組立体５０２の長尺状光源からの光が反射器組立体８００内に入るための下部アパーチャ８２６を画定すべく寸法、形状、配向状態とさせることが可能である。
【００４３】
図８に戻って説明すると、フレーム組立体８０４は、更に、第１上部バー８２８ａとそれと整合している第３上部バー８２８ｃ、及び第２上部バー８２８ｂとそれと整合している第４上部バー８２８ｄ、を有することが可能であり、それらの上部バーは、夫々、第１反射器シート８０２ａの上部部分８３０ａ及び第２反射器シート８０２ｂの上部部分８３０ｂを受け取り且つ支持する形態とされている。上部バー８２８ａ，８２８ｂ，８２８ｃ，８２８ｄは、図９に示される如く、加工物組立体９０２に対する反射器組立体８００の取り付け表面を画定すべく作用し、且つモジュール型反射器組立体８００から光が射出するための上部アパーチャ８３２を画定すべく作用する。フレーム組立体８０４は、更に、上部バー８２８ａ，８２８ｂ，８２８ｃ，８２８ｄによって形成される上部アパーチャの上側に位置して取り付けられる透明反射防止膜をコーティングした窓（不図示）を有することが可能である。
【００４４】
フレーム組立体８０４は、更に、第１湾曲を持っており且つ第１複数個のバッキングリブ８３４ａ−８３４ｚを有している第１バッキングフレーム８３４ａ−８３４ｚと、第２湾曲を持っており且つ第２複数個のバッキングリブ８３６ａ−８３６ｚを有している第２バッキングフレーム８３６ａ−８３６ｚと、を有しており、これらのバッキングリブ８３４ａ−８３４ｚ及び８３６ａ−８３６ｚは、夫々、第１反射器シート８０２ａの背面部分８３８ａ及び第１反射器シート８０２ｂの背面部分８３８ｂに対して着脱自在に固定可能である。第１複数個のバッキングリブ８３４ａ−８３４ｚ及び第２複数個のバッキングリブ８３６ａ−８３６ｚは、更に、第１反射器シート８０２ａ及び第２反射器シート８０２ｂの形状を夫々画定することが可能である。
【００４５】
第１湾曲を持っており且つ第１複数個のバッキングリブ８３４ａ−８３４ｚを有している第１バッキングフレーム８３４ａ−８３４ｚは、第１反射器シート８０２ａが第１湾曲を持つように屈曲させる形態とさせることが可能である。第２湾曲を持っており且つ第２複数個のバッキングリブ８３６ａ−８３６ｚを有している第２バッキングフレーム８３６ａ−８３６ｚは、第２反射器シート８０２ｂが第２湾曲を持つように屈曲させる形態とさせることが可能である。第１バッキングフレーム８３４ａ−８３４ｚは、更に、第１湾曲を持つように、第１反射器シート８０２ａを、第１端部反射器８１６ａの中央部分８１８ａの第１側部部分８１９ａ及び第１端部反射器８１６ａの中央部分８１８ａの第２側部部分８１９ｂに対して、屈曲させることが可能である。第２バッキングフレーム８３６ａ−８３６ｚは、更に、第２湾曲を持つように、第２反射器シート８０２ｂを、第２端部反射器８１６ｂの中央部分８１８ｂの第１側部部分８１９ｃ及び第２端部反射器８１６ｂの中央部分８１８ｂの第２側部部分８１９ｄに対して、屈曲させることが可能である。
【００４６】
図９は本開示の１実施例に基づいて中空円筒加工物硬化用冶具９０２と共に組み立てた図５（Ｂ）、図６、及び図７のランプ組立体の斜視図である。本開示の例は適用例に対して容易に構成することが可能なランプ組立体９００を提供する。例えば、反射器組立体９０４はフレームワーク９０６内に形成し且つ取り付けることが可能であり、該フレームワーク９０６は、挿入された加工物（不図示）を露光し且つ硬化させるべく動作可能であり且つ最小のＵＶ光漏洩で３６０度のＵＶ露光を与える中空円筒加工物硬化用冶具又は管９０２の周りを取り囲んでいる。フレームワーク９０６は、又、プリンタ又はその他のＵＶ硬化適用において装着することが可能なＵＶ光源を提供するような態様で構成することも可能である。
【００４７】
図２，４及び８のモジュール型反射器組立体２００，４００，８００は、夫々、以下の利点を提供する。モジュール型反射器組立体２００，４００，８００は、外部機器用の取り付け表面を提供するために使用することが可能である。モジュール型反射器組立体２００，４００，８００は、照明すべき加工物の区域に対してランプヘッドモジュールを位置決めさせることに関する改良を提供することが可能である。反射器組立体２００，４００，８００は種々の反射器スタイルに対して容易に適用させることが可能である。反射器組立体２００，４００，８００は既存のシステムよりもランプヘッドモジュールに取り付けるための改善され、一層しっかりとした取り付けシステムを提供することが可能である。本開示の例は、又、ソリッド機械加工及び研磨した反射器に対して実質的に一層廉価な代替技術を提供している。
【００４８】
本開示の例は、反射器組立体をランプヘッドモジュールへ取り付け、次いで該反射器組立体内の反射器が正確に位置決めされるようにランプヘッドモジュールを整合させることを可能としている。本開示の例の別の特徴は、該反射器組立体内の反射器が、従来のＬＥＤランプの場合に典型的であるように個々のＬＥＤ要素ではなく、複数のＬＥＤからなるアレイ全体に亘り適用可能であることである。
【００４９】
本開示の例は、反射表面を有するモジュール型反射器を提供するために使用することが可能な複数の部品からなる組立体を包含している。これらの部品は容易に製造可能で且つ廉価であるように設計される。例えば、ソリッド機械加工し且つ研磨した反射器の代わりに、一層廉価なシートメタル反射器を使用することが可能であり、その結果、幾つかの異なる反射器形状を提供することが必要である場合には実質的なコスト節約となる。図４及び図８に示した本開示の例は、端部反射器をランプヘッドモジュールへ取り付け且つ反射器形状を画定するための改善された方法を提供することによって、ランプヘッドモジュールに対しての反射器の一層しっかりとして取り付けを与えるという利点も有することが可能である。
【００５０】
上述した説明は例示的なものであって制限的なものではないことを理解すべきである。上述した説明を読み且つそれを理解した上で、多くのその他の例が当業者に自明なものとなる。従って、本開示の範囲は、均等物の完全なる範囲と共に、以下の特許請求の範囲に基づいて決定されるべきである。
【符号の説明】
【００５１】
２００，４００：モジュール型反射器組立体
２０２ａ，２０２ｂ，４０２ａ，４０２ｂ：第１、第２反射器シート
２０４，４０４：フレーム組立体
２１６ａ，２１６ｂ，４１６ａ，４１６ｂ：第１、第２端部反射器
２２６：下部アパーチャ
２８１ａ，２１８ｂ，４１８ａ，４１８ｂ：中央部分
２３２：上部アパーチャ
３０２，５０４：ランプヘッド組立体
５００：ランプ組立体
６０６：長手軸
６０８：長尺状光源
９０２：加工物組立体
【図１】
2016011955.tif 000003
【図２】
2016011955.tif 000004
【図３】
2016011955.tif 000005
【図４】
2016011955.tif 000006
【図５】
2016011955.tif 000007
【図６】
2016011955.tif 000008
【図７】
2016011955.tif 000009
【図８】
2016011955.tif 000010
【図９】
2016011955.tif 000011